(57)【要約】      （修正有）【課題】可撓性のあるパウチに液体を流出自在のポンプを使用できるようにする。【解決手段】保持具のベースに壁面に締結するための穴、又は吸着盤を用意しベースから突き出した突片の両縁から上方にリブを設け、突片の中央部に長穴を設け長穴の縁の両側にリブを有する。ベースにある穴に締結用のネジ等で壁に固定、又は吸着盤を押し付けて固定し、パウチに付帯しているスパウトをＸ−Ｘ軸方向から長穴に係入し、よりパウチが壁面に近接できる形態とした。  支持具は基台から上方向に延設される腕部に基台と平行に配設される保持体を備え、又腕部は中央部で分離して嵌着可能に凹凸を設けることで間にスペーサを入れて嵌着出来るようにして寸法を変えることが出来るようにした。【選択図】    図４
2006306489.tif 000002
【特許請求の範囲】
【請求項１】
ベースを壁面にネジ等で締結する為の複数箇所の穴を有し、ベースの中央部から一体に備えた外方に向けて突出される突片の両側縁に、取り付けに対して上方にリブを要し、突片の中央部に係入する長孔を備え、長孔の縁を取り付けに対して下方にリブを要し、口部を閉塞させて構成される袋体の内部に充填される液体を流出自在とするポンプを具備したスパウト付きの袋体の閉塞された面と直交する面を持つスパウトを長孔に係入、保持することを特徴とする袋体の内部に充填される液体を流出自在としたポンプを具備したスパウト付き袋体の保持具。
【請求項２】
壁面に固定する吸着盤を１乃至複数個取り付ける為の孔を用意したベースに上記請求項と同様に形成された袋体の内部に充填される液体を流出自在としたポンプを具備したスパウト付き袋体の保持具
【請求項３】
請求項２の保持具に袋体の重量を軽減する為に、袋体下部を載せて吸着盤で固定できるようにした台片を付帯した袋体の内部に充填される液体を流出自在としたポンプを具備したスパウト付き袋体の保持具
【請求項４】
請求項３の保持具と台片を一体に形成された保持具に、壁面に固定する吸着盤を１乃至複数個取り付ける為の孔を用意し、吸着盤で固定できることを特徴とする袋体の内部に充填される液体を流出自在とするポンプを具備したスパウト付き袋体の保持具。
【請求項５】
基台から上方向に延設される腕部に基台と平行に配設される保持体を備え、基台から腕部の両側の縁からリブを要し、保持体の上方向にリブを設ける。
保持体の中央部に係入する長孔を備え、長孔の縁を取り付けに対して下方にリブを要し、口部を閉塞させて構成される袋体の内部に充填される液体を流出自在とするポンプを具備したスパウト付きの袋体の閉塞された面と直交する面を持つスパウトを長孔に係入、支持することを特徴とする袋体の内部に充填される液体を流出自在としたポンプを具備したスパウト付き袋体の支持具。
【請求項６】
請求項５の腕部の中央部付近から上下に分割し、分離面に分離した上下が嵌着可能にし、上下に分離した間に分離した腕部と嵌着可能なスペーサを設け長さを変えることが可能になり、袋体の長さの違いに対応でき支持することを特徴とする袋体の内部に充填される液体を流出自在としたポンプを具備したスパウト付き袋体の支持具。
【発明の詳細な説明】
【技術分野】
【０００１】  本発明は、袋体の内部に充填される液体を流出自在としたポンプを具備したスパウト付き袋体を支持、保持し、袋体に充填された液体を流出し易くする袋体の支持具、保持具に関する。
【背景技術】
【０００２】  最近、浴室内の洗剤、リンス等の全体が合成樹脂製の使い捨て容器の減容が叫ばれている。容器の合成樹脂材料を減らすことが出来る溶着フイルム状の袋体を作成し、溶着可能な合成樹脂材料で作成したスパウトに溶着して容器を製作する。（この容器を下記の文章の記載にパウチと表す。）【０００３】  パウチに液体を充填しスパウトに備えたネジ部でキャップを被せる。又、ネジ部で液体を流出可能なポンプを取り付ける。
【発明の開示】
【発明が解決しようとする課題】
【０００４】  パウチの袋状容器は、袋体の全体が可撓性を有する合成樹脂製のフイルム材で形成されているため、パウチに充填された液体を流出させるポンプを具備した場合に、ポンプに液体を流出させる力を加えるとパウチは撓みポンプの作動には耐えられない不具合がある。【０００５】  しかし、スパウトは従来の洗剤、リンスの容器に比べて使用する合成樹脂の量も少なく、使用後は折りたたんで廃棄できるのでゴミの減量化につながる利点も有する。【０００６】  そこで本発明はポンプを具備したパウチを浴室内の壁面に支持具を用い、棚、床には保持具を用い取り付け、パウチに充填された液体をポンプで流出できる利便性の向上を図ることができるようにした。
【課題を解決するための手段】
【０００７】  本発明は、ベースを壁面にネジ等で締結する為の複数箇所の穴を有し、ベースの中央部から一体に備えた外方に向けて突出される突片の両側縁に、取り付けに対して上方にリブを要し、突片の中央部に係入する長孔を備え、長孔の縁を取り付けに対して下方にリブを要し、口部を閉塞させて構成される袋体の内部に充填される液体を流出自在とするポンプを具備したスパウト付きの袋体の閉塞された面と直交する面を持つスパウトを長孔に係入、保持することを特徴とする袋体の内部に充填される液体を流出自在としたポンプを具備したスパウト付き袋体の保持具。また、壁面の固定に吸着盤を具備した保持具で、保持具にかかる袋体の重量を軽減するために袋体の低部に台片で支え、台片を吸着盤で壁面に固定する。【０００８】  また、本発明は基台から上方向に延設される腕部に基台と平行に配設される保持体を備え、基台から腕部の両側の縁からリブを要し、保持体の上方向にリブを設ける。保持体の中央部に係入する長孔を備え、長孔の縁を取り付けに対して下方にリブを要し、口部を閉塞させて構成される袋体の内部に充填される液体を流出自在とするポンプを具備したスパウト付きの袋体の閉塞された面と直交する面を持つスパウトを長孔に係入、支持することを特徴とする袋体の内部に充填される液体を流出自在としたポンプを具備したスパウト付き袋体の支持具。また、腕部の中央部付近から上下に分割し、分離面に分離した上下が嵌着可能にし、上下に分離した間に分離した腕部と嵌着可能なスペーサを設け長さを変えることが可能になり、袋体の長さの違いに対応でき支持することを特徴とする袋体の内部に充填される液体を流出自在としたポンプを具備したスパウト付き袋体の支持具。
【発明の効果】
【０００９】  本発明のスパウト付きの保持具、支持具はパウチの袋状容器の、袋体の全体が可撓性を有する合成樹脂製のフイルム材で形成されているため、パウチに充填された液体をポンプで流出させる力を加えるとパウチは撓みポンプの作動には耐えられない不具合があり、パウチのスパウトを保持具、支持具の長孔に係入することでパウチの内部の液体をポンプで流出させる力に耐えられ、浴室内の壁面、棚、床で使用でき、使用後にパウチの袋体部分を丸めて廃棄することでゴミの減量化に繋がりパウチの用途の利便性を図ることができるという効果がある。
【発明を実施するための最良の形態】
【００１０】  パウチのスパウト部に液体を充填させる際、充填機がパウチの位置決め、保持する目的の為にスパウトに寸法を限定した平面部を容易してある。本発明はこの寸法を限定した平面部を基準に構成するものである。この平面部を用いる理由は長孔に係入したときにパウチの方向性が成立しポンプにて液体を流出する際の力に於いても回転移動等の動きができないため位置が安定する要因がある。以下に図面を参照して説明する。図１はポンプを具備したパウチの斜視図であり、図２は図１の平面図で、図３は図２のスパウトのＡ−Ａ矢視断面図である。【００１１】  図１のパウチ１の袋体２はポリエチレン等のフイルム積層からなる合成樹脂製のシート材を上方向のスパウト３を溶着する部を除いて周縁部同士を溶着して形成され、全体が可撓性を有する材質で形成されている。その後、スパウト３を袋体２の上方にある開口部に入れ袋体と溶着してパウチ１ができる。袋体２にスパウト３溶着する方向関係は袋体２を溶着した方向をＹ−Ｙ軸とし、袋体２の開口部にスパウト３を入れ溶着する。このスパウト３に具備してある平面部４の方向をＸ−Ｘ軸とする関係のパウチ１とする。をこのパウチ１に液体、例えば洗剤、リンスなどを充填して、ポンプ５を具備して完成する。
【実施例１】
【００１２】  図４は本発明請求項１の実施形態に係わるポンプ５を具備したスパウト３付き袋体２の保持具６であり、保持具６のベース８に壁面に締結するための穴９を用意しベース８から突き出した突片１０の両縁から上方にリブ１１を設け、突片１０の中央部に長穴７を設け長穴７の縁の両側に下方向にリブ１２を有する。ベース８にある穴９に
締結用のネジ等で壁に固定する。パウチ１に付帯しているスパウト３をＸ−Ｘ軸方向から長穴７に係入する。この保持具６とパウチ１の組み合わせの形態はよりパウチ１が壁面に近接できる形態である。
【実施例２】
【００１３】  図５は請求項２の実施形態に係わるポンプ５を具備したスパウト３付き袋体２の保持具１３であり、保持具１３のベース１４に吸着盤１５を具備するための穴１６を１乃至複数個設け、吸着盤１５を取り付ける。浴室内の平滑な面の壁を選び吸着盤１５を押し付けて吸着固定する。保持具１３の形態は上記請求項１の実施例と同様な形状になり、パウチ１の係入も同様であり、この保持具１３とパウチ１の組み合わせの形態はよりパウチ１が壁面に近接できる形態であことは、ポンプ５にて液体の流出させる力を加えた場合に突片１０に係るモーメントが軽減でき、吸着盤１５が剥がれ難くなる。
【実施例３】
【００１４】  図６は請求項３の実施形態に係わるポンプ５を具備したスパウト３付き袋体２の保持具１３であり、パウチ１の容量が増加した場合に保持具１３に加わる力を軽減する目的で台片１７を付帯し、浴室内の平滑な面の壁を選び吸着盤１８を押し付けて吸着固定する。固定する際にはパウチ１を若干持ち上げる位置に台片１７を固定することは周知のことである。また、前記の保持具１３と台片１７を一体で形成した形状が保持具１９であり、請求項４に該当する。
【実施例４】
【００１５】  図８は請求項５の実施形態に係わるポンプ５を具備したスパウト３付き袋体２の支持具２０であり、支持具２０は基台２１から上方向に延設される腕部２２に基台と平行に配設される保持体２３を備え、基台２１から腕部２２の両側の縁からリブ２４を要し、保持体２３の上方向にリブ２５を設ける。保持体２３の中央部に係入する長孔２６を備え、長孔２６の縁を取り付けに対して下方にリブ２７を要し、図１にあるパウチ１のスパウト３に具備してある平面部４の方向をＸ−Ｘ軸方向からスパウト３を長孔２６に係入する形態が保持体２３の腕部２２により近接できる形態であことは、ポンプ５にて液体の流出させる力を加えた場合に保持体２３に係るモーメントが軽減でき、突き出す寸法の大きさが小さくなる。また、基台２１から腕部２２の両縁から立ち上がるリブ２４はパウチを係入する際に妨げにならないことは記述するまでもない。
【実施例５】
【００１６】  図９及び図１０は図９の部分拡大図で上記実施例４の保持具２０にある腕部２２の中央付近より上下に分割し、上部の保持体２８と下部の基台２９が嵌着可能にするために、保持体２８には凸部３０を設け、基台２９には凹部３１をそれぞれ設け嵌着可能にし、上下に分離した保持体２８と基台２９の間に嵌着可能なスペーサ３２を設け、スペーサ３２の上下には凹部３３、凸部３４を設け嵌着可能にし、スペーサ３２を保持体２８と基台２９間に嵌着させることで長さを変えることが可能になり、パウチ１の容量の変化で長さの違いに対応できる。なお、嵌着可能なそれぞれの凹凸部を入れ替えた形状も含まれる。
【産業上の利用可能性】
【００１７】  浴室内、調理場、職場、家庭、病院などで使用されている洗剤は液状が主流になりポンプ付きの容器になっている。使用済後このポンプ付き容器が廃棄されるが一部詰め替え専用のパウチが販売されているが、空容器に注ぎ足す煩わしさは拭えない。スパウト付き袋体にポンプを具備して使用すると袋体は可撓性をもっているために使用に耐えられない。本発明のスパウトの一部を保持、支持することでポンプ付きのスパウトがポンプにより内部の液体を流出でき、使用後廃棄の際は前記の容器より減容されゴミの軽減に役立つ。また、使用後スパウトのネジで具備してるポンプ部分を取り外し、ポンプが付属されていないパウチにポンプをネジで取り付けることで使用でき、ポンプ付きパウチからポンプを取り外し廃棄することでよりゴミの軽減になる。
【図面の簡単な説明】
【００１８】
【図１】ポンプを具備したパウチ一例の斜視図
【図２】ポンプを具備したパウチ一例の平面図
【図３】スパウトの一部断面図
【図４】請求項１に於けるパウチの保持具一例の斜視図
【図５】請求項２に於けるパウチの保持具一例の斜視図
【図６】請求項３に於けるパウチの保持具一例の斜視図
【図７】請求項４に於けるパウチの保持具一例の斜視図
【図８】請求項５に於けるパウチの支持具一例の斜視図
【図９】請求項６に於けるパウチの支持具一例の斜視図
【図１０】請求項に於けるパウチの支持具一例の部分拡大斜視図
【符号の説明】
【００１９】１    パウチ
２    袋体
３    スパウト
４    平面部
５    ポンプ
６    保持具
７    長穴
８    ベース
９    締結するための穴
１０  突片
１１  リブ
１２  リブ
１３  保持具
１４  ベース
１５  吸着盤
１６  穴
１７  台片
１８  吸着盤
１９  保持具
２０  支持具
２１  基台
２２  腕部
２３  保持体
２４  リブ
２５  リブ
２６  長孔
２７  リブ
２８  保持体
２９  基台
３０  凸部
３１  凹部
３２  スペーサ
３３  凹部
３４  凸部
【図１】
2006306489.tif 000003
【図２】
2006306489.tif 000004
【図３】
2006306489.tif 000005
【図４】
2006306489.tif 000006
【図５】
2006306489.tif 000007
【図６】
2006306489.tif 000008
【図７】
2006306489.tif 000009
【図８】
2006306489.tif 000010
【図９】
2006306489.tif 000011
【図１０】
2006306489.tif 000012